(57)【要約】【課題】  生成されたイオンを除電又は帯電対象物に到達させるのに、従来のような圧縮空気を用いなくてもよいようにする。【解決手段】  除電又は帯電をする対象物であるフィルムＦに対向して放電電極１，２あるいは６，７を設ける。これら放電電極１，２あるいは６，７を挟んで、上記フィルムＦとは反対側に加速電極４あるいは９を設ける。そして、上記放電電極１，２あるいは６，７と加速電極４あるいは９とは、同一極性の電圧を印加するようにしている。【選択図】  図１
2015099728.tif 000002
【特許請求の範囲】
【請求項１】
除電又は帯電をする対象物に対向して設けた放電電極を設けるとともに、この放電電極を挟んで、上記対象物とは反対側に加速電極を設け、上記放電電極と加速電極とは、同一極性の電圧を印加する構成にした除電又は帯電装置。
【請求項２】
上記対象物を挟むようにして一対の放電電極を設けるとともに、これら放電電極のそれぞれに上記加速電極を設け、一対の放電電極間では逆極性の電圧を印加する構成にした請求項１記載された除電又は帯電装置。
【請求項３】
上記一対の放電電極には、位相を１８０度ずらした交流電圧を印加する構成にした請求項１又は２に記載された除電又は帯電装置。
【発明の詳細な説明】
【技術分野】
【０００１】
この発明は、フィルム等の対象物に帯電させる装置、又は対象物を除電する装置に関する。
【背景技術】
【０００２】
例えば、この種の除電装置として、特許文献１に記載されたものが従来から知られている。
この従来の除電装置は、フィルム等の除電対象物を除電するもので、バータイプの放電電極を、フィルムの搬送方向に対してほぼ直交する方向に配置し、この放電電極に正負いずれかの電圧を印加してイオンを生成する。このようにして生成されたイオンを、上記除電対象物に向けて放射することによって、当該除電対象物を除電する。
【０００３】
そして、イオンを除電対象物に確実に到達させるために、上記放電電極には、除電対象物に向けてエアを噴出させるエア噴出口を設け、このエア噴出口に圧縮空気を導くようにしている。したがって、放電電極に電圧を印加することによって生成されたイオンは、エア噴出口から噴出されたエアの流れに乗って、除電対象物に確実に到達することになる。
【０００４】
もし、上記のようにエアを噴出させないと、生成されたイオンが除電対象物に到達する前に、中和されてしまったり、あるいは浮遊イオンとして除電対象物に到達しなかったりする。そのために、除電対象物に到達するイオンの総量が少なくなってしまう。
【０００５】
除電対象物に到達するイオンの総量が少なくなれば、除電対象物を十分に除電できなかったり、あるいは除電対象物の搬送速度を上げられなかったりする。
除電対象物を十分に除電できなければ、除電という所期の目的を達成できない。また、除電対象物の搬送速度を上げられなければ、除電工程における効率が悪くなる。
【０００６】
したがって、エアを噴出させて、イオンを除電対象物に確実に到達させることは、除電装置として必須の条件になる。
なお、このようにイオンをエアの流れに乗せて対象物に確実に到達させるというテーマは、帯電装置においても同様である。
【先行技術文献】
【特許文献】
【０００７】
【特許文献１】特開２００５−２０９５１３号公報
【発明の概要】
【発明が解決しようとする課題】
【０００８】
上記のようにした従来の装置では、生成されたイオンを除電又は帯電対象物に確実に到達させるために、放電電極に圧縮空気を導く構成にしているが、このような構成では、圧縮空気を作るためのコンプレッサーが必須になる。
しかし、コンプレッサーは、その設備が大型化するので、広い設置スペースを必要とするという問題があった。
【０００９】
また、コンプレッサーはそれが作動中に大きな音を発生するので、騒音の原因にもなるという問題があった。
さらに、コンプレッサーから放電電極まで圧縮空気を導くために、ホース等の配管を必要とするので、その配管の分、設備費がかさむとともに装置全体も大型化するという問題もあった。
この発明の目的は、簡単な装置でイオンを加速して、イオンを除電又は帯電対象物に確実に到達させられる除電又は帯電装置を提供することである。
【課題を解決するための手段】
【００１０】
第１の発明は、除電又は帯電をする対象物に対向して設けた放電電極を設けるとともに、この放電電極を挟んで、上記対象物とは反対側に加速電極を設け、上記放電電極と加速電極とは、同一極性の電圧を印加する構成にした点に特徴を有する。
【００１１】
第２の発明は、上記対象物を挟むようにして一対の放電電極を設けるとともに、これら放電電極のそれぞれに上記加速電極を設け、一対の放電電極間では逆極性の電圧を印加する構成にした点に特徴を有する。
【００１２】
第３の発明は、上記一対の放電電極に、位相を１８０度ずらした交流電圧を印加する構成にした点に特徴を有する。
【発明の効果】
【００１３】
第１の発明の除電又は帯電装置によれば、放電電極に電圧を印加して生成されたイオンは、加速電極の斥力の作用で、対象物の方向に加速されることになる。
そして、イオンを加速させるためには、加速電極を設けるだけで足りるので、従来のように設備の大型化の要因になるコンプレッサーが不要になる。言い換えれば、加速電極だけで足りるので、装置全体が小型化できるとともに、騒音等も発生しない。
【００１４】
第２の発明の除電又は帯電装置によれば、対象物を挟さむようにして一対の放電電極を設けるとともに、これら放電電極には、互いに反対極性の電圧を印加させる構成にしたので、一方の放電電極で生成されたイオンが、他方の放電電極側に引き付けられ、他方の放電電極で生成されたイオンは、一方の放電電極側に引き付けられる。このように放電電極で生成されたイオンが、反対側にある放電電極側に引き付けられるので、それらの引力によっても、イオンを上記対象物に確実に到達させることができる。
【００１５】
第３の除電又は帯電装置によれば、上記一対の放電電極に位相を１８０度ずらした交流電圧を印加する構成にしたので、正負のイオンを交互に生成させながら、それらイオンを確実に対象物に到達させることができる。
【図面の簡単な説明】
【００１６】
【図１】この発明の実施形態を示す説明図である。
【発明を実施するための形態】
【００１７】
図示の実施形態は、除電対象物であるフィルムＦを矢印方向に搬送しながら、その除電をするための装置である。
上記フィルムＦの一方の側には一対の放電電極１，２を設けているが、この放電電極１，２は、バータイプのもので、フィルムＦの搬送方向に対して、これら放電電極１，２の長手方向をほぼ直交させている。このようにした放電電極１，２は同一の第１交流電源３に並列に接続している。したがって、これら両放電電極１，２には同一位相の交流電圧が印加されることになる。
【００１８】
そして、上記放電電極１，２の後ろ側、すなわち放電電極１，２を挟んで、上記フィルムＦとは反対側に板状の加速電極４を設けている。この板状の加速電極４は、上記放電電極１，２を覆うようにして配置されている。このようにした加速電極４は、上記第１交流電源３とは別の第２交流電源５に接続している。そして、これら第１，２交流電源３，５は、互いに同位相の電圧を出力する構成にしている。したがって、上記放電電極１，２と加速電極４とは、常に同位相の交流電圧が印加されることになる。
【００１９】
一方、上記フィルムＦを挟んで、上記一対の放電電極１，２とは反対側に、一対の放電電極６，７を設けている。これら放電電極６，７のそれぞれは、上記放電電極１，２と正対する位置関係を保つとともに、第３交流電源８に並列に接続している。したがって、これら両放電電極６，７にも同一位相の交流電圧が印加されることになる。ただし、これら放電電極６，７に印加される交流電圧と、上記放電電極１，２に印加される交流電圧とは、それらの位相を１８０度ずらしたものにしている。
【００２０】
そして、上記放電電極６，７の後ろ側、すなわち放電電極６，７を挟んで、上記フィルムＦとは反対側に板状の加速電極９を設けている。この板状の加速電極９は、上記放電電極６，７を覆うようにして配置されている。このようにした加速電極９は、上記第３交流電源８とは別の第４交流電源１０に接続している。そして、これら第３，４交流電源８，１０は、互いに同位相の電圧を出力する構成にしている。したがって、上記放電電極６，７と加速電極９とは、常に同位相の交流電圧が印加されることになる。
【００２１】
上記のようにした装置において、すべての電極に電圧を印加すると、例えば、表側の放電電極１，２にはプラスの電圧が印加されれば、裏側の放電電極６，７にはマイナスの電圧が印加されるというように、互いに反対極性の電圧が印加されることになり、それぞれの放電電極１，２及び６，７によってプラスのイオンとマイナスのイオンとが交互に生成されることになる。
このとき、表側の加速電極４には、上記放電電極１，２と同極性の電圧が印加されるので、放電電極１，２で生成されたイオンに対して、加速電極４との間に斥力が作用する。したがって、上記イオンは、この斥力の作用でフィルムＦに向かって加速される。
【００２２】
また、裏側の加速電極９にも、同様にして、上記放電電極６，７と同極性の電圧が印加されるので、放電電極６，７で生成されたイオンに対して、加速電極４との間に斥力が作用する。したがって、上記イオンは、この斥力の作用で、フィルムＦに向かって加速される。
【００２３】
上記のようにこの実施形態によれば、それぞれの放電電極１，２あるいは６，７で生成されたイオンは、加速電極４，９との間の斥力の作用で、フィルムＦに向かって加速されるので、それらイオンが除電対象物であるフィルムＦに確実に到達することになる。
しかも、この実施形態では、従来のように圧縮空気を必要としないので、コンプレッサーも不要になる。したがって、コンプレッサーが原因となっていた、種々の問題が発生することもない。
【００２４】
なお、上記実施形態では、フィルムＦを挟んで両側に放電電極１，２、６，７及び加速電極４，９を設けたが、フィルムＦの一方のみを除電するときには、放電電極及び加速電極もフィルムＦの一方にのみ設ければ足りる。
ただし、この実施形態のようにフィルムＦを挟んでその両側に放電電極を設け、それら放電電極の印加電圧の極性を反対にしておけば、一方の放電電極１，２で生成されたイオンが、他方の放電電極６，７側に引き付けられ、他方の放電電極６，７で生成されたイオンは、一方の放電電極１，２側に引き付けられる。このように放電電極で生成されたイオンが、反対側にある放電電極側に引き付けられるので、この引力によっても、イオンを上記フィルムＦに確実に到達させることができるという効果を期待できる。
【００２５】
しかも、上記のように放電電極をフィルムＦの両側に設けておけば、当該フィルムＦの両側を除電することができる。
また、上記第１，２交流電源３，５及び第３，４交流電源８，１０のそれぞれは、必ずしも２つ設けなくてもよく、それらを一つにしてもよい。
【００２６】
さらに、放電電極１，２と加速電極４との交流電源を共通化してもよい。もちろん、放電電極６，７と加速電極９との交流電源も共通化してもよいこと当然である。
なお、放電電極１，２及び６，７のそれぞれには、極性の異なる直流電圧を印加してもよい。この場合には、上記加速電極４，９にも、対応する放電電極と同極性の直流電圧を印加することになる。
【産業上の利用可能性】
【００２７】
フィルムなどの帯電あるいは除電に最適である。
【符号の説明】
【００２８】
Ｆ      除電対象物であるフィルム
１，２    放電電極
３      第１交流電源
４      加速電極
５      第２交流電源
６，７    放電電極
８      第３交流電源
９      加速電極
１０      第４交流電源
【図１】
2015099728.tif 000003